(57)【要約】【課題】焼付き現象に起因した輝度ムラ補正とタッチ入力とを両立した高機能かつ低コストの表示装置を提供する。【解決手段】表示装置１は、有機ＥＬ素子２１を有する画素２０が行列状に配置され、画素２０が発光することにより表示面に画像を表示する表示部２と、表示部２の画像表示側と反対側に設けられ入射光を検出する光検出部９とを備え、表示部２は、表示面において１以上の画素２０ごとに開口部２０Ｅを有し、光検出部９は、画素２０が発光する光と、開口部２０Ｅを介して画像表示側の外部から入射する外光とを、入射光として検出する。【選択図】図４
2015225537.tif 000002
【特許請求の範囲】
【請求項１】
自発光型の発光素子を有する画素が行列状に配置され、前記画素が発光することにより表示面に画像を表示する表示部と、
前記表示部の画像表示側と反対側に設けられ、入射光を検出する光検出部とを備え、
前記表示部は、前記表示面において１以上の前記画素ごとに開口部を有し、
前記光検出部は、前記画素が発光する光と、前記開口部を介して前記画像表示側の外部から入射する外光とを、前記入射光として検出する
表示装置。
【請求項２】
前記表示部は、さらに、
前記発光素子が形成された発光素子層を含み、
前記発光素子層は、
発光層と、
前記発光層の前記画像表示側に形成され、透明部材で構成された第１電極層と、
前記発光層と前記光検出部との間に形成され、少なくとも一部が透明部材で構成された第２電極層とを含む
請求項１に記載の表示装置。
【請求項３】
前記表示部は、さらに、
前記第２電極層と前記光検出部との間に形成され、前記発光素子を駆動する駆動回路層を有し、
前記駆動回路層は、前記画素ごとに、前記光検出部から前記第２電極までの経路において一部透明な領域を有する
請求項２に記載の表示装置。
【請求項４】
前記光検出部による複数の前記画素から発光される前記入射光の検出結果から、前記複数の画素の経時的な劣化を検知することにより、前記画素の輝度を補正する補正部を備える
請求項１〜３のいずれか１項に記載の表示装置。
【請求項５】
前記補正部は、前記画素を発光させた場合の前記光検出部で検出した当該画素の輝度値を、当該画素を黒表示させた場合の前記光検出部で検出した当該画素の輝度値で減じた輝度値を取得することにより、当該画素の経時的な劣化を検知する
請求項４に記載の表示装置。
【請求項６】
前記光検出部による前記開口部を介した前記入射光の遮光度の検出結果から、前記表示面に触れた指示物の接触位置を検知するタッチ検出部を備える
請求項１〜５のいずれか１項に記載の表示装置。
【請求項７】
前記開口部を介して入射した、前記表示面上の反射体からの反射光の検出結果から、前記反射体を走査検知するスキャナ部を備える
請求項１〜６のいずれか１項に記載の表示装置。
【請求項８】
前記発光素子は、有機ＥＬ素子である
請求項１〜７のいずれか１項に記載の表示装置。
【請求項９】
前記光検出部は、複数のフォトダイオードで構成されている
請求項１〜８のいずれか１項に記載の表示装置。
【請求項１０】
前記発光素子を駆動する発光駆動回路と、前記複数のフォトダイオードを構成する少なくとも１つのフォトダイオードとは、それぞれスイッチ素子を介して、共通の信号線に接続されている
請求項９に記載の表示装置。
【発明の詳細な説明】
【技術分野】
【０００１】
本開示は、表示装置に関し、特に、自発光型の発光素子を有する表示装置に関する。
【背景技術】
【０００２】
電流駆動型の発光素子を用いた表示装置として、有機エレクトロルミネッセンス（ＥＬ）素子を用いた表示装置が知られている。この自発光する発光素子を用いた表示パネルは、液晶表示装置に必要なバックライトが不要で装置の薄型化に最適である。また、視野角にも制限がないため、次世代の表示装置として実用化が期待されている。
【０００３】
しかし、有機ＥＬ素子は、通電する電流量に応じて劣化し、その劣化によって輝度が低下するという問題がある。そのため、有機ＥＬ表示パネルで画像表示を行うと、表示画像によっては、マトリクス状に配列された各有機ＥＬ素子の劣化状況が異なるようになり、輝度のばらつきが生じる。例えば、テレビジョン受像機の表示部に有機ＥＬ表示パネルを用いた場合には、画面隅に受信チャンネル情報（文字）を表示していると、その部分だけ劣化が早まる。その結果、明るい画面を表示した場合に、視覚的に均一な明るさで発光表示できず、発光ムラとなり、文字表示部が暗く焼き付いてしまう。
【０００４】
特許文献１には、有機ＥＬ表示パネルの上記輝度ムラを解消するため、焼付き現象による輝度の低下を補正する技術が開示されている。具体的には、特許文献１に開示された表示装置は、支持基板と対向基板との間に配列形成してなる複数の発光素子と、対向基板の表面側における発光素子間に配置され、発光素子の漏れ光を検出する受光素子と、各発光素子の駆動を制御する制御部とを備える。制御部は、発光素子への入力信号と受光素子からの出力信号に基づいて各発光素子の経時的な相対輝度差が一定となるよう、当該入力信号を補正する。
【０００５】
一方、近年のスマートフォンのように、見るだけではなく、タッチ入力も可能な双方向デバイスが必須となってきている。タッチ入力にはさまざまな方式があるが、光センサを利用した方式も開発されている。その方式は、外光を利用し、その遮断によって、入力を検知するもの（特許文献２）と、発光と受光とを並行させて行い、反射光から入力を検知するもの（特許文献３）がある。これらの技術を応用すれば、スキャナにも用いることが可能であるため、光センサを利用した方式の開発が進められている。
【先行技術文献】
【特許文献】
【０００６】
【特許文献１】特開２００７−７９２００号公報
【特許文献２】特開２００８−３００６３０号公報
【特許文献３】特許第４６１８０２６号公報
【発明の概要】
【発明が解決しようとする課題】
【０００７】
しかしながら、前述した焼付き現象に起因した輝度劣化の補正技術は、発光素子からの漏れ光を精度よく検出するものであり、外光により補正精度は低下する。また、光センサを利用したタッチ入力技術は、外光を利用するものである。この観点から、自発光する発光素子を有する表示パネルにおいて、上記輝度ムラ補正機能とタッチ入力機能とを両立させることは困難である。
【０００８】
本発明は、上記問題に鑑みてなされたものであり、焼付き現象に起因した輝度ムラ補正とタッチ入力とを両立した高機能かつ低コストの表示装置を提供することを目的とする。
【課題を解決するための手段】
【０００９】
上記の課題を解決するために、本発明の一態様に係る表示装置は、自発光型の発光素子を有する画素が行列状に配置され、前記画素が発光することにより表示面に画像を表示する表示部と、前記表示部の画像表示側と反対側に設けられ、入射光を検出する光検出部とを備え、前記表示部は、前記表示面において１以上の前記画素ごとに開口部を有し、前記光検出部は、前記画素が発光する光と、前記開口部を介して前記画像表示側の外部から入射する外光とを、前記入射光として検出することを特徴とする。
【発明の効果】
【００１０】
本発明に係る表示装置によれば、画素の表示側と反対側に配置された光センサで各画素の発光量を測定して経時的な劣化を補正するとともに、開口部からの光量を測定してタッチ入力機能やスキャナ機能を実現することが可能となる。つまり、同一の光センサを用いて、輝度ムラ補正とタッチ入力とを両立できるので、高機能かつ低コストを実現できる。
【図面の簡単な説明】
【００１１】
【図１】実施の形態１に係る表示装置の構成を示す機能ブロック図である。
【図２】実施の形態１に係る画素の回路図である。
【図３】実施の形態１に係る表示部の受光回路図である。
【図４】実施の形態１に係る表示装置の断面構造図である。
【図５】実施の形態１に係る表示部の画素レイアウトを表す図である。
【図６】実施の形態１に係る有機ＥＬ素子の輝度劣化特性を表すグラフである。
【図７】実施の形態１に係る表示装置の輝度補正方法を説明するフローチャートである。
【図８】実施の形態１に係る表示装置のタッチ操作を説明する図である。
【図９】タッチ操作時の光検出部からの受光信号の変化を表すグラフである。
【図１０】輝度ムラ補正のタイミングを説明する図である。
【図１１】画素の輝度補正方法について説明した図である。
【図１２】実施の形態２に係る画素の回路図である。
【図１３】実施の形態２に係る表示装置の断面構造図である。
【図１４】実施の形態に係る表示装置を内蔵した薄型フラットＴＶの外観図である。
【発明を実施するための形態】
【００１２】
以下、表示装置及びその制御方法の一実施の形態について、図面を用いて説明する。なお、以下に説明する実施の形態は、いずれも本開示における好ましい一具体例を示すものである。したがって、以下の実施の形態で示される、数値、形状、材料、構成要素、構成要素の配置位置及び接続形態、工程、並びに、工程の順序などは、一例であって本発明を限定する主旨ではない。よって、以下の実施の形態における構成要素のうち、本発明における最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態１）
［１．表示装置の構成］
図１は、実施の形態１に係る表示装置の構成を示す機能ブロック図である。また、図２は、実施の形態１に係る発光画素の回路図である。また、図３は、実施の形態１に係る表示部の受光回路図である。
【００１５】
本実施の形態に係る表示装置１は、表示部２と、書込み走査線駆動回路４と、書込み信号線駆動回路５と、読出し走査線駆動回路６と、受光信号出力回路７と、制御部８と、光検出部９とを備える。
【００１６】
表示部２は、マトリクス状に配置された複数の画素２０を有し、映像信号を反映した信号電圧が図２に示された画素回路に供給されることにより、表示面上に画像を表示する。また、表示部２は、表示面において複数の画素２０ごとに開口部を有している。
【００１７】
光検出部９は、表示部２の画像表示側と反対側に、表示領域にわたり表示部２と重なるように設けられている。光検出部９は、図３に示すように、表示領域にわたって配置された、入射光を検出する複数のフォトダイオード２５を有する。フォトダイオード２５と選択トランジスタ２６とは、１つの読出し回路を構成する。図２に示された画素回路と図３に示された読出し回路との配置関係は、図４を用いて詳述する。
【００１８】
制御部８は、表示装置１の動作を制御する回路であり、外部から映像信号を受信し、書込み走査線駆動回路４及び書込み信号線駆動回路５を制御する。これにより、映像信号を反映した画像が表示部２に表示される。
【００１９】
また、制御部８は、補正部８１とタッチ検出部８２とを備える。補正部８１は、読出し走査線駆動回路６及び受光信号出力回路７を制御し、画素２０から発光される入射光量を取得する。これにより、画素２０に供給される信号電圧を補正し、画素２０の寿命劣化による輝度ムラを解消する。また、タッチ検出部８２は、読出し走査線駆動回路６及び受光信号出力回路７を制御し、画像表示側から表示部２へ入射する外光の光量を取得する。これにより、指などの指示物と表示面との接触位置を検出し、表示面におけるタッチ操作を検知する。
【００２０】
書込み走査線駆動回路４は、図２に示すように、画素行ごとに設けられた走査線４１を介して、画素２０に、画素２０への信号電圧の書き込み動作及び発光動作を制御するための制御信号を供給する。
【００２１】
書込み信号線駆動回路５は、画素列ごとに設けられたデータ線５１を介して、画素２０に、輝度階調に対応する信号電圧を供給する。
【００２２】
読出し走査線駆動回路６は、図３に示すように、画素行ごとに設けられた走査線６１を介して、フォトダイオード２５に蓄積された受光量に対応した受光信号を、受光信号出力回路７へ読み出す動作を制御するための制御信号を供給する。
【００２３】
受光信号出力回路７は、画素列ごとに設けられた垂直信号線７１を介してフォトダイオード２５から読み出された受光信号を出力する。
【００２４】
［２．画素回路の構成］
次に、本実施の形態に係る画素回路の構成について説明する。
【００２５】
図２に示すように、画素２０は、発光素子である有機ＥＬ素子２１と、有機ＥＬ素子２１を駆動する駆動回路とで構成されている。画素２０が有する駆動回路は、駆動トランジスタ２２と、選択トランジスタ２３と、容量素子２４とを備える。駆動トランジスタ２２及び選択トランジスタ２３は、例えば、ｎ型の薄膜トランジスタ（ＴＦＴ：ＴｈｉｎＦｉｌｍ  Ｔｒａｎｓｉｓｔｏｒ）で構成される。容量素子２４は、第１電極が駆動トランジスタ２２のゲート電極に接続され、第２電極が駆動トランジスタ２２のソース電極に接続されている。駆動トランジスタ２２は、ドレイン電極が正電源線（ＶＤＤ）に接続され、ソース電極が有機ＥＬ素子２１のアノード電極及び容量素子２４の第１電極に接続され、ゲート電極が選択トランジスタ２３のソース電極及び容量素子２４の第２電極に接続されている。上記接続により、駆動トランジスタ２２は、容量素子２４に保持された電圧に応じた駆動電流を有機ＥＬ素子２１に流す。選択トランジスタ２３は、ドレイン電極がデータ線５１に接続され、駆動トランジスタ２２のゲート電極とデータ線５１との間の導通及び非導通を切り換える。有機ＥＬ素子２１は、カソード電極が負電源線（ＶＳＳ）に接続されている。
【００２６】
上記回路構成により、書込み走査線駆動回路４が選択トランジスタ２３を導通状態とすることで、書込み信号線駆動回路５からデータ線５１を経由して、信号電圧が容量素子２４に書き込まれる。また、これと同時に、駆動トランジスタ２２のゲート−ソース間には、信号電圧に対応した電圧が印加され、駆動トランジスタ２２は、当該電圧に対応した駆動電流を有機ＥＬ素子２１に流す。有機ＥＬ素子２１は、上記駆動電流に対応した輝度で発光を開始し、容量素子２４への信号電圧の書き込みが更新されるまで上記発光を継続する。上記発光動作が、画素行単位で行順次に実行される。
【００２７】
［３．読出し回路の構成］
次に、本実施の形態に係る読出し回路の構成について説明する。
【００２８】
図３に示すように、光検出部９は、画素２０に対応して、フォトダイオード２５と、選択トランジスタ２６とを備える。フォトダイオード２５は、画素２０が有する有機ＥＬ素子２１の発光量に対応した電荷量を蓄積する。読出し走査線駆動回路６が選択トランジスタ２６を導通状態とすることで、選択された画素行に配置されたフォトダイオード２５の電荷量が、受光信号として垂直信号線７１を経由して受光信号出力回路７へ読み出される。受光信号出力回路７は、読み出された受光信号を、画素行ごとに制御部８へ出力する。受光信号出力回路７は、高速読み出しの場合は、１本の垂直信号線７１に対して１つのアンプが用意されるが、低速読み出しでよい場合は、時分割で選択する回路を挿入して、アンプ数を減らしコストダウンを図ってもよい。
【００２９】
上記構成を有する表示装置１において、画素２０が有する有機ＥＬ素子２１は、発光積算時間に依存した劣化特性を有している。このため、長期間発光させた画素２０と、そうでない画素２０との間で劣化特性が異なる。よって、例えば、同じ階調を表す信号電圧を双方の画素２０に供給した場合、輝度差が生じることになる。これは、「焼付き」と呼ばれる現象である。この「焼付き」による輝度ムラを抑制するためには、輝度劣化の進行が速い画素２０の発光輝度に合わせるべく、輝度劣化の進行が遅い画素２０に対して階調を低くした信号電圧を供給する。これにより、輝度劣化の進行度合いが異なる画素間で、発光輝度を合わせることが可能となる。
【００３０】
補正部８１が、上記補正を実行するにあたり、画素２０の発光量を測定する光検出部９が必要となる。ここで、有機ＥＬ素子２１は、表示側及びその反対側の両方向に発光する。本実施の形態では、光検出部９を、表示部２の表示側に配置するのではなく、表示部２の上記反対側に配置することで、表示部２の表示側と反対側に出射される光を検出する。これにより、画素２０から表示側に出射される表示光は光検出部９により妨げられない。また、光検出部９を構成する読出し回路のレイアウトの自由度が確保されるので、受光感度を向上させることが可能となる。
【００３１】
さらに、本実施の形態では、タッチ検出部８２は、光検出部９から出力される受光信号に基づいて、表示面上のタッチ操作を検知する。これを実現する構成として、指などの指示物が表示面に触れることにより、表示部２への外部入射光が遮られたことを、表示部２の表示側と反対側に配置された光検出部９が検知する。
【００３２】
［４．表示装置の構造］
以下、表示部２の表示側と反対側に配置された光検出部９が、画素２０の発光量及び外部入射光量の双方を独立に検出する表示装置１の構造を説明する。
【００３３】
図４は、実施の形態１に係る表示装置の断面構造図である。同図における表示装置１は、表示領域において、表示部２と、光検出部９とが、表示方向に重ねられた構造となっている。
【００３４】
透明下基板２１２の上（表示方向）に、駆動回路層２１３と、透明陽極層２１４と、発光層２１５と、透明陰極層２１６と、透明封止層２１７と、透明上基板２１８とが、この順で積層されている。また、隣接する画素を分離するバンク２１９が形成されている。表示部２は、透明下基板２１２から透明上基板２１８までを含む。
【００３５】
また、表示部２は、表示方向から見て、赤色画素２０Ｒ、緑色画素２０Ｇ、青色画素２０Ｂ、及び開口部２０Ｅが配置されている。赤色画素２０Ｒ、緑色画素２０Ｇ、及び青色画素２０Ｂは、それぞれ、２つのバンク２１９で挟まれた領域における透明下基板２１２から透明上基板２１８までを含む。また、開口部２０Ｅは、２つのバンク２１９で挟まれた領域における透明下基板２１２と、透明上基板２１８とを含み、当該透明下基板２１２と当該透明上基板２１８との間は空間である。なお、上記空間には、透明上基板２１８の上方から入射された外部入射光を、透明上基板２１８から透明下基板２１２へと通過させる透明部材が充填されていてもよい。開口部２０Ｅは、画素２０に隣接して当該画素ごとに配置されてもよいし、また、複数の画素２０ごとに配置されてもよい。
【００３６】
透明下基板２１２は、画素２０からの入射光、及び、開口部２０Ｅを介した外部入射光を、透明下基板２１２を通過して光検出部９で検出可能とするため、透明の基板、例えば、ガラス基板またはプラスティック基板が用いられる。
【００３７】
駆動回路層２１３は、透明下基板２１２の上に形成される。駆動回路層２１３は、駆動トランジスタ２２、選択トランジスタ２３及び容量素子２４が形成された回路素子形成領域２１３Ｂと、画素から出射された光を透明陽極層２１４から透明下基板２１２へ通過させる光通過領域２１３Ａとを、画素２０ごとに含む。光通過領域２１３Ａは、例えば、透明材料かつ絶縁材で形成される。なお、駆動回路層２１３には、回路素子形成領域２１３Ｂと光通過領域２１３Ａとが明確に分離配置されている必要はない。駆動回路層２１３には、画素２０ごとに上記回路素子が形成され、かつ、画素２０ごとに、光検出部９から透明陽極層２１４までの経路において一部透明な領域を有していればよい。また、駆動回路層２１３は、開口部２０Ｅに形成されていてもよい。
【００３８】
透明陽極層２１４は、駆動回路層２１３の表面上に積層され、透明陰極層２１６に対して正の電圧を発光層２１５に印加する電極である。透明陽極層２１４を構成する陽極材料としては、光透過率の高い透明材料及び構造を用いることが好ましい。透明陽極層２１４の材料構成としては、特に限定されるものではないが、金属酸化物層が用いられる。この金属酸化物層としては、例えば、インジウム錫酸化物（以下、ＩＴＯと記す）、あるいはインジウム亜鉛酸化物（以下、ＩＺＯと記す）からなる層が用いられる。なお、透明陽極層２１４は、１画素全体にわたり、透明である必要はなく、１画素の中で一部透明であってもよい。つまりこの場合、１画素中に形成される透明陽極層２１４は、透明材料で形成されている透明領域と、反射材料で形成された反射領域とを含んでもよい。
【００３９】
発光層２１５は、透明陽極層２１４及び透明陰極層２１６とともに、有機ＥＬ素子２１を形成する層である。発光層２１５は、例えば、正孔注入層、正孔輸送層、有機発光層、及び電子注入層の積層体である。図４に示された赤色画素２０Ｒ、緑色画素２０Ｇ、及び青色画素２０Ｂでは、発光層２１５の材料構成が異なる。
【００４０】
図４に示された画素２０は、トップエミッション構造を有している。つまり、発光層２１５に所定の電圧を印加すると、有機発光層で光が生じ、透明陰極層２１６及び透明封止層２１７を通じて光が上方（表示側）に出射する。また、有機発光層で生じた光のうち下方（反対側）に向かったものは、透明陽極層２１４を通過し、一部、駆動回路層２１３及び透明下基板２１２を通過して光検出部９で検出される。
【００４１】
発光層２１５が有する有機発光層は、正孔輸送層の表面上に形成され、正孔と電子が注入され再結合されることにより励起状態が生成され発光する機能を有する。有機発光層としては、低分子有機材料だけでなく、インクジェットやスピンコートのような湿式製膜法で製膜できる発光性の高分子有機材料も適用される。
【００４２】
バンク２１９は、駆動回路層２１３の上に形成され、湿式製膜法を用いて形成される正孔輸送層及び有機発光層などを所定の領域に分離形成するバンクとしての機能を有する。
【００４３】
透明陰極層２１６は、発光層２１５の表面上に積層され、透明陽極層２１４に対して負の電圧を発光層２１５に印加し、電子を有機発光層に注入する機能を有する。透明陰極層２１６の材料としては、特に限定されるものではないが、透過率の高い物質を用いることが好ましい。これにより、発光効率が高いトップエミッション有機ＥＬ素子を実現することができる。また、透明陰極層２１６の構成としては、特に限定されるものではないが、金属酸化物層が用いられる。この金属酸化物層としては、例えば、インジウム錫酸化物（以下、ＩＴＯと記す）、あるいはインジウム亜鉛酸化物（以下、ＩＺＯと記す）からなる層が用いられる。
【００４４】
なお、発光層２１５と、透明陽極層２１４と、透明陰極層２１６とで形成された積層体は、発光素子層を構成する。
【００４５】
透明封止層２１７は、透明陰極層２１６の表面上に形成され、水分から素子を保護する機能を有する。また、透明封止層２１７は、透明であることが要求される。透明封止層２１７は、例えば、ＳｉＮ、ＳｉＯＮ、または有機膜からなる。
【００４６】
なお、開口部２０Ｅの空間領域に充填される材料としては、透明封止層２１７の材料であってもよい。この場合、開口部２０Ｅの空間には、透明封止層２１７の形成と同時に透明材料が充填される。
【００４７】
透明上基板２１８は、赤色画素２０Ｒ、緑色画素２０Ｇ、青色画素２０Ｂ、及び開口部２０Ｅを保護する基板である。また、透明上基板２１８は、透明であることが要求されるため、透明の基板、例えば、ガラス基板またはプラスティック基板が用いられる。
【００４８】
光検出部９は、透明下基板２１２の裏面、つまり、駆動回路層２１３が形成されていない面に形成されている。つまり、光検出部９は、表示部２の表示側と反対側に配置されている。なお、光検出部９は、透明下基板２１２に発光層２１５が形成された後に、透明下基板２１２の裏面と張り合わせられる。
【００４９】
図５は、実施の形態１に係る表示部の画素レイアウトを表す図である。具体的には、図５の左側には、表示部２を表示方向から見た場合の画素レイアウトが示され、図５の右側には、表示部２及び光検出部９の位置関係が示されている。同図に示すように、表示領域には、右から順に、青色画素２０Ｂ、緑色画素２０Ｇ、赤色画素２０Ｒ、開口部２０Ｅが配置されており、これらの３画素及び開口部２０Ｅで、１単位画素を構成している。また、光検出部９は、上記単位画素に対応し、当該単位画素と対向するように配置されている。
【００５０】
図４及び図５に示された構成によれば、発光層２１５が発光した場合、その光は表示面から出射して画像表示として用いられるとともに、表示方向と反対方向（下方）にも出射して、透明陽極層２１４、光通過領域２１３Ａ及び透明下基板２１２を通過し、光検出部９に到達する。これにより、画素２０から出射する光の光量を光検出部９で測定することが可能となる。
【００５１】
さらに、図４及び図５に示された構成によれば、表示方向からの光を通過させる開口部２０Ｅが設けられることで、外光も検出することが可能となる。これにより、タッチ操作機能及びスキャナ機能を実現することが可能となる。
【００５２】
以下、実施の形態１に係る表示装置１の構成により実行可能となる、焼付き補正機能、タッチ操作機能及びスキャナ機能について説明する。
【００５３】
［５．焼付き補正］
図６は、実施の形態１に係る有機ＥＬ素子の輝度劣化特性を表すグラフである。同図において、縦軸は、所定の電流を流した場合の有機ＥＬ素子の発光輝度を表し、横軸は時間を表す。画素Ｂは、常時白表示させていた画素であり、発光輝度は経過時間とともに低下していく。一方、画素Ａは、常時（ほぼ）黒表示させていた発光画素であり、発光輝度の劣化度合いは、画素Ｂと比較して小さい。
【００５４】
画素Ａと画素Ｂとを有する表示部において、時刻Ｔ１において一斉に白表示をさせた場合、画素Ａ及び画素Ｂは、それぞれ、図６で示される初期輝度ＰＡ及びＰＢで発光することになる。すなわち、この輝度差が、いわゆる「焼付き」現象であり、当該輝度差を補正しなければ輝度ムラとなって視認されてしまう。
【００５５】
そこで、本実施の形態に係る表示装置１は、以下の手順で補正を行う。
【００５６】
図７は、実施の形態１に係る表示装置の輝度補正方法を説明するフローチャートである。
【００５７】
まず、補正部８１は、表示装置１の出荷時における各画素の初期輝度を、メモリに記憶する（Ｓ１０）。
【００５８】
次に、補正部８１は、表示装置１の出荷後、所定の期間（現在）に、初期輝度測定時と同条件で各画素の輝度測定を行う（Ｓ２０）。
【００５９】
最後に、補正部８１は、ステップＳ２０で測定された現在の輝度値を各画素で比較し、最も輝度値が小さい画素、つまり、最も劣化が進んでいる画素の輝度値に、全ての画素の輝度値が合うように、各画素に供給される信号電圧を補正する（Ｓ３０）。
【００６０】
つまり、補正部８１は、光検出部９による複数の画素２０から発光される入射光の検出結果から、複数の画素２０の経時的な劣化を検知することにより、画素２０の輝度を補正する。
【００６１】
上記補正動作によれば、表示面内で輝度ムラがない状態にすることが可能となる。
【００６２】
なお、上記ステップＳ１０〜Ｓ３０における補正動作は一例であり、全画素を同輝度とせずとも、例えば、隣接する画素間において補正の最適化をすることにより輝度ムラを視認できなくするなど、様々な手法を用いることができる。
【００６３】
［６．タッチ操作］
図８は、実施の形態１に係る表示装置のタッチ操作を説明する図である。同図は、図４に示された表示装置１の表示面上を、指示物である指の先が触れている状態を表している。また、図９は、タッチ操作時の光検出部からの受光信号の変化を表すグラフである。
【００６４】
本実施の形態に係るタッチ操作の検出原理は、表示装置１の表示面上を指示物が触れることによる外光遮断方式を採っている。図８に示すように、指先が表示面上に触れると、表示方向からの外光が開口部２０Ｅへ入射することが遮断されるとともに、画素２０による表示光が指先で反射した反射光が、開口部２０Ｅを介して光検出部９上へ入射する。図９のグラフには、画素２０から出射された光のみによる光検出部９の受光特性（表示（画素発光）による受光特性）と、画素２０から出射された光に外光が加算された光による光検出部９の受光特性（全受光特性）との一例が描かれている。
【００６５】
ここで、図９に示すように、所定の時刻Ｔ２において、指先によるタッチ操作があった場合、外光が遮断された分が光検出部９の出力としてマイナスされるとともに、表示光の指先での反射光が入射した分がプラスされる。上記光量変化を光検出部９で検出することにより、タッチ検出部８２は、表示面上に触れた指示物が指であると判断し、かつ、指の接触位置（タッチポイント）を特定する。言い換えると、タッチ検出部８２は、光検出部９による開口部２０Ｅを介した入射光の遮光度の検出結果から、表示面に触れた指示物の接触位置を検知する。なお、この場合の指の特定方式は、本発明とは無関係であり、どのようなアルゴリズムを用いてもよい。
【００６６】
［７．スキャナ操作］
本実施の形態に係る表示装置１によれば、図８及び図９に示された光検出方式を用いて、スキャナ操作をすることが可能である。すなわち、図８に示された指を、印刷物などの反射体に置き換え、青色画素２０Ｂ、緑色画素２０Ｇ、及び赤色画素２０Ｒから出射された光が反射体で反射した白色反射光を光検出部９が検出する。制御部８のスキャナ部は、光検出部９で検出された白色反射光の光量や色成分に基づいて、反射体の形状及び色に関する情報を取得する。言い換えれば、スキャナ部は、開口部２０Ｅを介して入射した、表示面上の反射体からの反射光の検出結果から、反射体を走査検知する。
【００６７】
以上のように、本実施の形態に係る表示装置１によれば、（１）表示部２の表示側と反対側に配置された光検出部９、及び（２）表示面に設けられた開口部２０Ｅにより、焼付き補正及びタッチ操作を実現することができる。つまり、同一の光センサを用いて、輝度ムラ補正とタッチ入力とを両立できるので、高機能かつ低コストを実現できる。
【００６８】
［８．焼付き補正、タッチ操作、スキャナ操作の駆動関係］
図１０は、輝度ムラ補正のタイミングを説明する図である。同図には、タッチ操作及びスキャナ操作を含めた映像表示の期間と、焼付き補正期間との関係が表されている。有機ＥＬ素子２１の輝度劣化は、通常、除々に進行するため、焼付き補正を行うタイミングは、例えば、２４時間おき、または、起動時のみなど、ある程度長い間隔を設定しても、当該間隔において、輝度ムラが急に視認されることはない。したがって、通常の画像表示モードでは、光検出部９を、タッチ操作用、または、スキャナ操作用として使用する。一方、上記焼付き補正モードでは、光検出部９を、焼付き補正用として使用する。
【００６９】
このように、映像表示期間と焼付き補正期間とのタイミングを調整することにより、焼付き補正とタッチ操作及びスキャナ操作とを両立させることができる。
【００７０】
図１１は、画素の輝度補正方法について説明した図である。本実施の形態に係る表示装置１には開口部２０Ｅが設けられているので、光検出部９が画素２０の発光輝度を測定する際には、常に、外部入射光による受光信号が重畳される。ここでは、外部入射光の受光成分をキャンセルして、画素２０から出射される光を、高精度に取得できる方法を説明する。
【００７１】
まず、全ての画素２０を黒表示として、光検出部９にて光量測定する。つまり、このとき、光検出部９では、外部入射光による受光成分のみの受光量が検出される（オフセット測定）。
【００７２】
続いて、所定の階調輝度を反映した信号電圧を画素２０に供給することにより、当該画素２０を発光させる。このとき、光検出部９で測定された受光量は、外部入射光による受光成分と、上記画素２０から出射された光による受光成分とが重畳されたものとなっている（輝度測定）。
【００７３】
最後に、補正部８１は、上記輝度測定で測定された受光信号から上記オフセット測定で測定された受光信号を減算し、画素２０から出射された光の輝度を取得する。これにより、外部入射光によるオフセット受光成分をキャンセルすることが可能となる。
【００７４】
上述したように、画素２０の黒表示により、外光をオフセットキャンセルすることで、焼付き補正とタッチ操作及びスキャナ操作とを両立させることができる。
【００７５】
（実施の形態２）
実施の形態１では、光検出部９を表示部２と独立に形成していたが、本実施の形態では、光検出部９を表示部２の内部に形成することにより配線層及び駆動回路層を共用することで、回路規模を縮小することが可能となる。
【００７６】
図１２は、実施の形態２に係る画素の回路図である。また、図１３は、実施の形態２に係る表示装置の断面構造図である。本実施の形態に係る表示装置は、実施の形態１に係る表示装置１と比較して、光検出部９からの受光信号を読み出す垂直信号線が、画素２０に信号電圧を供給するデータ線と共用されている点、及び、光検出部９が透明下基板２１２の表示面側に形成されている点が構成として異なる。以下、実施の形態１に係る表示装置１と同じ点は説明を省略し、異なる点を中心に説明する。
【００７７】
図１２に示すように、書込み信号線駆動回路５は、画素列ごとに設けられたデータ線５２を介して、画素３０に、輝度階調に対応する信号電圧を供給する。
【００７８】
また、受光信号出力回路７は、画素列ごとに設けられたデータ線５２を介してフォトダイオード２５から読み出された受光信号を出力する。
【００７９】
画素３０は、有機ＥＬ素子２１と、フォトダイオード２５と、有機ＥＬ素子２１及びフォトダイオード２５を駆動する駆動回路とで構成されている。画素３０が有する駆動回路は、駆動トランジスタ２２と、選択トランジスタ２３及び２６と、容量素子２４とを備える。駆動トランジスタ２２、選択トランジスタ２３及び２６は、例えば、ｎ型の薄膜トランジスタで構成される。
【００８０】
上記回路構成により、書込み走査線駆動回路４が選択トランジスタ２３を導通状態とすることで、書込み信号線駆動回路５からデータ線５２を経由して、信号電圧が容量素子２４に書き込まれる。また、これと同時に、駆動トランジスタ２２のゲート−ソース間には、信号電圧に対応した電圧が印加され、駆動トランジスタ２２は、当該電圧に対応した駆動電流を有機ＥＬ素子２１に流す。有機ＥＬ素子２１は、上記駆動電流に対応した輝度で発光を開始し、容量素子２４への信号電圧の書き込みが更新されるまで上記発光を継続する。上記発光動作が、画素行単位で行順次に実行される。
【００８１】
図１２に示すように、フォトダイオード２５は、画素３０が有する有機ＥＬ素子２１の発光量に対応した電荷量を蓄積する。読出し走査線駆動回路６が選択トランジスタ２６を導通状態とすることで、選択された画素行に配置されたフォトダイオード２５の電荷量が、受光信号としてデータ線５２を経由して受光信号出力回路７へ読み出される。受光信号出力回路７は、読み出された受光信号を、画素行ごとに制御部８へ出力する。
【００８２】
本実施の形態では、図１３に示すように、フォトダイオード２５である光センサ９０１を、表示部２の表示側に配置するのではなく、表示部２の上記反対側であって発光層２１５と下基板２２２との間に配置することで、表示部２の表示側と反対側に出射される光を検出する。これにより、画素２０から表示側に出射される表示光は光センサ９０１により妨げられない。また、光センサ９０１を構成する読出し回路のレイアウトの自由度が確保されるので、受光感度を向上させることが可能となる。
【００８３】
図１３に示すように、本実施の形態に係る表示装置３は、表示領域において、表示部２の内部に光センサ９０１が形成された構造となっている。
【００８４】
下基板２２２の上（表示方向）に、光センサ９０１と、駆動回路層２１３と、透明陽極層２１４と、発光層２１５と、透明陰極層２１６と、透明封止層２１７と、透明上基板２１８とが、この順で積層されている。また、隣接する画素を分離するバンク２１９が形成されている。表示部２は、下基板２２２から透明上基板２１８までを含む。
【００８５】
また、表示部２は、表示方向から見て、赤色画素３０Ｒ、緑色画素３０Ｇ、青色画素３０Ｂ、及び開口部３０Ｅが配置されている。赤色画素３０Ｒ、緑色画素３０Ｇ、及び青色画素３０Ｂは、それぞれ、２つのバンク２１９で挟まれた領域における下基板２２２から透明上基板２１８までを含む。また、開口部２０Ｅは、２つのバンク２１９で挟まれた領域における下基板２２２と、透明上基板２１８とを含み、光センサ９０１と当該透明上基板２１８との間は空間である。なお、上記空間には、透明上基板２１８の上方から入射された外部入射光を、光センサ９０１上へと受光させる透明部材が充填されていてもよい。開口部３０Ｅは、画素３０に隣接して当該画素ごとに配置されてもよいし、また、複数の画素３０ごとに配置されてもよい。
【００８６】
下基板２２２は、透明でなくてもよく、例えば、ガラス基板またはプラスティック基板が用いられる。
【００８７】
駆動回路層２１３は、光センサ９０１の上に形成される。駆動回路層２１３は、駆動トランジスタ２２、選択トランジスタ２３及び２６、ならびに容量素子２４が形成された回路素子形成領域３１３Ｂと、画素から出射された光を透明陽極層２１４から光センサ９０１へ通過させる光通過領域３１３Ａとを、画素３０ごとに含む。光通過領域３１３Ａは、例えば、透明材料かつ絶縁材で形成される。なお、駆動回路層２１３には、回路素子形成領域３１３Ｂと光通過領域３１３Ａとが明確に分離配置されている必要はない。駆動回路層２１３には、画素３０ごとに上記回路素子が形成され、かつ、画素３０ごとに、光センサ９０１から透明陽極層２１４までの経路において一部透明な領域を有していればよい。また、駆動回路層２１３は、開口部２０Ｅに形成されていてもよい。
【００８８】
図１３に示された画素３０は、トップエミッション構造を有している。つまり、発光層２１５に所定の電圧を印加すると、有機発光層で光が生じ、透明陰極層２１６及び透明封止層２１７を通じて光が上方（表示側）に出射する。また、有機発光層で生じた光のうち下方（反対側）に向かったものは、透明陽極層２１４を通過し、一部、駆動回路層２１３を通過して光センサ９０１で検出される。
【００８９】
光センサ９０１は、下基板２２２の表面、つまり、駆動回路層２１３と下基板２２２との間に形成された光検出部である。つまり、光センサ９０１は、表示部２の表示側と反対側であって、下基板２２２の表示側に配置されている。なお、光センサ９０１は、下基板２２２の表面上に、駆動回路層２１３及び発光層２１５が形成される前に、形成される。
【００９０】
本実施の形態に係る表示装置３によれば、発光層２１５が発光した場合、その光は表示面から出射して画像表示として用いられるとともに、表示方向と反対方向（下方）にも出射して、透明陽極層２１４、光通過領域３１３Ａを通過し、光センサ９０１に到達する。これにより、画素３０から出射する光の光量を光センサ９０１で測定することが可能となる。さらに、表示方向からの光を通過させる開口部３０Ｅが設けられることで、外光も検出することが可能となる。これにより、タッチ操作機能及びスキャナ機能を実現することが可能となる。
【００９１】
また、本実施の形態に係る表示装置３は、図１２に示すように、光センサ９０１の出力である受光信号を、発光駆動に使用しているデータ線から読み出しを行う構成としている。つまり、データ線と垂直信号線とを共通にしている。この構成では、発光のための信号電圧書き込み期間と、光センサ９０１による光検出期間とは、時分割される。たとえば、図１２の回路構成では、発光のための信号電圧書き込み動作時には、選択トランジスタ２３を導通状態かつ選択トランジスタ２６を非導通状態とする。一方、光センサ９０１による光検出期間には、選択トランジスタ２３を非導通状態かつ選択トランジスタ２６を導通状態とする。
【００９２】
また、図１２の回路構成を実現するにあたり、データ線及び垂直信号線が形成される配線層を共用できる。さらには、選択トランジスタ２３及び２６の回路層を共用できる。よって、回路規模を縮小することが可能となり、大幅なコストダウンが可能となる。
【００９３】
（効果など）
以上のように、本実施の形態に係る表示装置の一態様は、自発光型の有機ＥＬ素子２１を有する画素２０（３０）が行列状に配置され、画素２０（３０）が発光することにより表示面に画像を表示する表示部２と、表示部２の画像表示側と反対側に設けられ、入射光を検出する光検出部９（光センサ９０１）とを備える。表示部２は、表示面において１以上の画素２０（３０）ごとに開口部２０Ｅ（３０Ｅ）を有し、光検出部９（光センサ９０１）は、画素２０（３０）が発光する光と、開口部２０Ｅ（３０Ｅ）を介して画像表示側の外部から入射する外光とを、前記入射光として検出する。
【００９４】
これによれば、画素２０（３０）が発光した場合、その光は表示面から出射して画像表示として用いられるとともに、表示方向と反対方向（下方）にも出射して、光検出部９（光センサ９０１）に到達する。これにより、画素２０（３０）から出射する光の光量を光検出部９（光センサ９０１）で測定し、焼付き補正を実現することが可能となる。さらに、表示方向からの光を通過させる開口部２０Ｅ（３０Ｅ）が設けられることで、外光も検出することが可能となる。これにより、タッチ操作機能及びスキャナ機能を実現することが可能となる。つまり、同一の光センサを用いて、輝度ムラ補正とタッチ入力とを両立できるので、高機能かつ低コストを実現できる。
【００９５】
また、表示部２は、さらに、有機ＥＬ素子２１が形成された発光素子層を含み、当該発光素子層は、発光層２１５と、発光層２１５の画像表示側に形成され透明部材で構成された透明陰極層２１６と、発光層２１５と光検出部９（光センサ９０１）との間に形成され少なくとも一部が透明部材で構成された透明陽極層２１４とを含んでもよい。
【００９６】
また、表示部２は、さらに、透明陽極層２１４と光検出部９（光センサ９０１）との間に形成され、有機ＥＬ素子２１を駆動する駆動回路層２１３を有し、駆動回路層２１３は、画素２０（３０）ごとに、光検出部９（光センサ９０１）から透明陽極層２１４までの経路において一部透明な領域を有してもよい。
【００９７】
これらにより、発光層２１５が発光した場合、その光は表示面から出射して画像表示として用いられるとともに、表示方向と反対方向（下方）にも出射して、透明陽極層２１４及び駆動回路層２１３の透明領域を通過し、光検出部９（光センサ９０１）に到達する。これにより、画素２０（３０）から出射する光の光量を光検出部９（光センサ９０１）で測定することが可能となる。
【００９８】
また、光検出部９（光センサ９０１）による複数の画素２０（３０）から発光される入射光の検出結果から、複数の画素２０（３０）の経時的な劣化を検知することにより、画素２０（３０）の輝度を補正する補正部８１を備えてもよい。
【００９９】
これにより、画素２０（３０）に供給される信号電圧を補正し、画素２０（３０）の寿命劣化による輝度ムラを解消することが可能となる。
【０１００】
また、補正部８１は、画素２０（３０）を発光させた場合に光検出部９（光センサ９０１）で検出した当該画素２０（３０）の輝度値を、当該画素２０（３０）を黒表示させた場合に光検出部９（光センサ９０１）で検出した当該画素２０（３０）の輝度値で減じた輝度値を取得することにより、当該画素２０（３０）の経時的な劣化を検知してもよい。
【０１０１】
これにより、外部入射光によるオフセット受光成分をキャンセルすることが可能となり、焼付き補正とタッチ操作及びスキャナ操作とを両立させることができる。
【０１０２】
また、光検出部９（光センサ９０１）による開口部２０Ｅ（３０Ｅ）を介した入射光の遮光度の検出結果から、表示面に触れた指示物の接触位置を検知するタッチ検出部８２を備えてもよい。
【０１０３】
これにより、指などの指示物と表示面との接触位置を検出し、表示面におけるタッチ操作を検知することが可能となる。
【０１０４】
また、開口部２０Ｅ（３０Ｅ）を介して入射した、表示面上の反射体からの反射光の検出結果から、当該反射体を走査検知するスキャナ部を備えてもよい。
【０１０５】
これにより、焼付き補正とスキャナ操作とを両立させることができる。
【０１０６】
また、光検出部９（光センサ９０１）は、複数のフォトダイオードで構成されていてもよい。
【０１０７】
これにより、表示部の表示面に触れた指示物により、複数のフォトダイオードのそれぞれが検出する電荷量が異なるので、当該指示物の接触位置を検出することが可能となる。
【０１０８】
また、有機ＥＬ素子２１を駆動する発光駆動回路と、複数のフォトダイオードを構成する少なくとも１つのフォトダイオードとは、それぞれ、選択トランジスタ２３及び２６を介して、共通のデータ線５２に接続されていてもよい。
【０１０９】
これにより、信号電圧を画素３０へ書き込むためのデータ線と、受光信号を読み出すための垂直信号線とを共用できる。さらには、選択トランジスタ２３及び２６の回路層を共用できる。よって、回路規模を縮小することが可能となり、大幅なコストダウンが可能となる。
【０１１０】
（その他の実施の形態）
以上、上記実施の形態に基づいて表示装置を説明してきたが、本発明の表示装置は、上述した実施の形態に限定されるものではない。実施の形態における任意の構成要素を組み合わせて実現される別の実施の形態や、実施の形態に対して本発明の主旨を逸脱しない範囲で当業者が思いつく各種変形を施して得られる変形例や、本実施の形態に係る表示装置を内蔵した各種機器も本発明に含まれる。
【０１１１】
例えば、実施の形態１の図３に示された読出し回路、及び、実施の形態２の図１２に示された読出し回路は、それぞれ、フォトダイオード２５及び選択トランジスタ２６のみを明示しているが、これに限られない。例えば、上記読出し回路は、増幅トランジスタ、電流源トランジスタ、リセットトランジスタ、フローティングディフュージョンなどが配置された、一般的な、固体撮像素子の回路素子が付加されていてもよい。
【０１１２】
また、光検出部９（光センサ９０１）は、画素２０（３０）ごとに、１つのフォトダイオード２５と１つの選択トランジスタ２６とで構成される読出し回路を備えなくてもよい。複数の画素２０（３０）ごとに、１つの上記読出し回路を備える構成であってもよい。例えば、上記実施の形態では、画素２０（３０）ごとに、上記読出し回路が配置された構成としたが、画素２０Ｂ（３０Ｂ）、緑色画素２０Ｇ（３０Ｇ）、及び赤色画素２０Ｒ（３０Ｒ）で構成された単位画素ごとに、上記読出し回路が配置された構成であってもよい。さらには、Ｎ個の隣接する単位画素ごとに、上記読出し回路が配置された構成であってもよい。この場合には、１画素を１つずつ、または、同色画素ごとに点灯させれば、画素ごとに焼きつき補正の光量を検出することができる。
【０１１３】
また、開口部２０Ｅ（３０Ｅ）は、単位画素ごとに配置されていなくてもよく、Ｎ個の隣接する単位画素ごとに配置されていてもよい。指示物が指などのような、複数の単位画素にわたるような大きなものである場合、開口部２０Ｅ（３０Ｅ）は、指の接触位置が区別できるような間隔で配置されればよい。
【０１１４】
また、上記実施の形態では、本発明に係る表示装置が有する画素回路構成の一例を挙げたが、画素２０（３０）の回路構成は上記回路構成に限定されない。例えば、上記実施の形態では、正電源線（ＶＤＤ）と負電源線（ＶＳＳ）との間に、駆動トランジスタ２２及び有機ＥＬ素子２１が、この順に配置されている構成を例示したが、これら２素子が異なる順で配置されていてもよい。つまり、本発明の表示装置は、駆動トランジスタがｎ型であってもｐ型であっても、駆動トランジスタのドレイン電極及びソース電極、ならびに有機ＥＬ素子のアノード電極及びカソード電極が、正電源線（ＶＤＤ）と負電源線（ＶＳＳ）との間の電流径路上に配置されていればよく、駆動トランジスタ及び有機ＥＬ素子の配置順には限定されない。
【０１１５】
また、実施の形態１及び２では、例えば、選択トランジスタ２３及び２６のゲートの電圧がハイレベルの場合にオン状態になるｎ型トランジスタとして記述しているが、選択トランジスタ２３及び２６をｐ型トランジスタで形成し、走査線４１及び６１の極性を反転させた表示装置でも、上記実施の形態と同様の効果を奏する。
【０１１６】
また、上記実施の形態では、駆動トランジスタ及び選択トランジスタは、ゲート、ソース及びドレインを有するＦＥＴ（Ｆｉｅｌｄ  Ｅｆｆｅｃｔ  Ｔｒａｎｓｉｓｔｏｒ）であることを前提として説明してきたが、これらのトランジスタには、ベース、コレクタ及びエミッタを有するバイポーラトランジスタが適用されてもよい。この場合にも、本発明の目的が達成され同様の効果を奏する。
【０１１７】
また、本発明の表示装置の動作シーケンスは、上記実施の形態１に示された動作に限られない。例えば、駆動トランジスタ２２と正電源線（ＶＤＤ）との間にスイッチトランジスタが挿入され、書き込み期間の後、当該スイッチトランジスタが導通状態となることで発光期間を開始してもよい。これにより、行順次発光でなく、行順次書き込みの後に一斉発光するような動作が可能となる。
【０１１８】
また、上記実施の形態に係る表示装置に含まれる制御回路及び演算回路は、典型的には集積回路であるＬＳＩとして実現される。なお、上記表示装置に含まれる制御回路及び演算回路の一部を、表示部２と同一の基板上に集積することも可能である。また、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１１９】
また、上記実施の形態に係る表示装置に含まれる書込み走査線駆動回路４、書込み信号線駆動回路５、読出し走査線駆動回路６、受光信号出力回路７、制御回路、及び演算回路の機能の一部を、ＣＰＵ等のプロセッサがプログラムを実行することにより実現してもよい。
【０１２０】
また、上記実施の形態に係る表示装置１及び３では、有機ＥＬ素子２１を用いた表示装置である場合を例に述べたが、無機ＥＬ素子など、有機ＥＬ素子以外の発光素子を用いた表示装置に適用してもよい。
【０１２１】
また、例えば、本実施の形態に係る表示装置は、図１４に記載されたような薄型フラットＴＶに内蔵され、また使用される。本実施の形態に係る表示装置により、焼付き補正及びタッチ機能を両立したディスプレイを備えた薄型フラットＴＶが実現される。
【産業上の利用可能性】
【０１２２】
本発明に係る表示装置は、画素信号電流により画素の発光強度を制御することで輝度を変動させる自発光型の発光素子を有するフラットパネルディスプレイ等に有用である。
【符号の説明】
【０１２３】
１、３    表示装置
２    表示部
４    書込み走査線駆動回路
５    書込み信号線駆動回路
６    読出し走査線駆動回路
７    受光信号出力回路
８    制御部
９    光検出部
２０、３０    画素
２０Ｂ、３０Ｂ    青色画素
２０Ｅ、３０Ｅ    開口部
２０Ｇ、３０Ｇ    緑色画素
２０Ｒ、３０Ｒ    赤色画素
２１    有機ＥＬ素子
２２    駆動トランジスタ
２３、２６    選択トランジスタ
２４    容量素子
２５    フォトダイオード
２６    選択トランジスタ
４１、６１    走査線
５１、５２    データ線
７１    垂直信号線
８１    補正部
８２    タッチ検出部
２１２    透明下基板
２１３    駆動回路層
２１３Ａ、３１３Ａ    光通過領域
２１３Ｂ、３１３Ｂ    回路素子形成領域
２１４    透明陽極層
２１５    発光層
２１６    透明陰極層
２１７    透明封止層
２１８    透明上基板
２１９    バンク
２２２    下基板
９０１    光センサ
【図１】
2015225537.tif 000003
【図２】
2015225537.tif 000004
【図３】
2015225537.tif 000005
【図４】
2015225537.tif 000006
【図５】
2015225537.tif 000007
【図６】
2015225537.tif 000008
【図７】
2015225537.tif 000009
【図８】
2015225537.tif 000010
【図９】
2015225537.tif 000011
【図１０】
2015225537.tif 000012
【図１１】
2015225537.tif 000013
【図１２】
2015225537.tif 000014
【図１３】
2015225537.tif 000015
【図１４】
2015225537.tif 000016